(57)【要約】【課題】視聴者の属性情報や視聴可能時間に応じて表示する情報を自動的に選択するプレゼンテーションシステムの制御装置を提供する。【解決手段】視聴者の属性（職種および視聴目的）を取得し（Ｓ１１）、予め属性毎に設定された好ましい内容分類と表示順序の対応表に従って、映像情報を構成する１以上の表示候補スライドの中からスライドを選択し、並び替える（Ｓ３１）。また、視聴者が映像情報を視聴できる時間の最大長である視聴可能時間を取得し（Ｓ１２）、Ｓ３１で選択されたスライドの表示時間の合計が視聴可能時間を超える場合には、視聴者の属性や内容分類に応じて、時間を短縮する（Ｓ３２）。これにより、どのような種類の視聴者に対しても、効果的なプレゼンテーションを行うことができる。【選択図】図５
2008170637.tif 000002
【特許請求の範囲】
【請求項１】
少なくとも一つの表示スライドから構成される画面情報を表示する表示手段を備えたプレゼンテーションシステムの制御装置であって、
前記画面情報を視聴する視聴者の属性に関する視聴者情報を取得する視聴者情報取得手段と、
前記視聴者情報取得手段によって取得された前記視聴者情報に基づいて、複数の候補スライドから、前記画面情報を構成する前記表示スライドを選択するスライド選択手段とを備えたことを特徴とするプレゼンテーションシステムの制御装置。
【請求項２】
前記スライド選択手段は、前記属性に対応する前記表示スライドが予め指定されたスライド指定情報に基づいて、前記表示スライドを選択することを特徴とする請求項１に記載のプレゼンテーションシステムの制御装置。
【請求項３】
前記スライド選択手段は、前記候補スライドの文字、数字、静止画、動画の少なくとも一つに基づく内容分類に応じて、前記表示スライドを選択することを特徴とする請求項１に記載のプレゼンテーションシステムの制御装置。
【請求項４】
前記スライド指定情報の有無を判断する判断手段をさらに備え、
前記スライド選択手段は、前記判断手段によって、前記スライド指定情報があると判断された場合には、前記スライド指定情報に基づいて前記表示スライドを選択し、前記スライド指定情報がないと判断された場合には、前記候補スライドの文字、数字、静止画、動画の少なくとも一つに基づく内容分類に応じて、前記表示スライドを選択することを特徴とする請求項２に記載のプレゼンテーションシステムの制御装置。
【請求項５】
前記スライド選択手段は、前記属性に対応する前記内容分類が予め指定された指定分類リストを参照して、前記視聴者の前記属性に対応する前記内容分類の前記表示スライドを選択することを特徴とする請求項３または４に記載のプレゼンテーション装置。
【請求項６】
前記候補スライドの文字、数字、静止画、動画の少なくとも一つを解析して、前記候補スライドに前記内容分類を付与するスライド解析手段をさらに備えたことを特徴とする請求項３〜５のいずれかに記載のプレゼンテーション装置。
【請求項７】
前記内容分類は、前記静止画および前記動画の有無または割合、数字の字数、文字の記載形式、文字の大きさ、および文字の字数の少なくとも一つに基づいて付与されていることを特徴とする請求項３〜６のいずれかに記載のプレゼンテーションシステムの制御装置。
【請求項８】
前記スライド指定情報は、前記属性に対応する前記表示スライドが予め指定された指定表示リストであり、
前記スライド選択手段は、前記指定表示リストを参照して、前記視聴者の前記属性に対応する前記表示スライドを選択することを特徴とする請求項２または４に記載のプレゼンテーションシステムの制御装置。
【請求項９】
前記視聴者情報取得手段によって取得された前記視聴者情報に基づいて、前記スライド選択手段により選択された前記表示スライドを前記表示手段に表示させる表示順序を決定する表示順序決定手段をさらに備えたことを特徴とする請求項１〜８のいずれかに記載のプレゼンテーションシステムの制御装置。
【請求項１０】
前記表示順序決定手段は、前記属性に対応する前記内容分類の優先順位が予め指定された指定順序リストを参照して、前記視聴者の前記属性および前記表示スライドの前記内容分類に対応する前記優先順位に従って、前記表示順序を決定することを特徴とする請求項９に記載のプレゼンテーションシステムの制御装置。
【請求項１１】
前記表示順序決定手段は、前記属性に対応する前記内容分類の重要度が予め指定された重要度リストを参照して、前記視聴者の前記属性および前記表示スライドの前記内容分類に対応する前記重要度に従って、前記表示順序を決定することを特徴とする請求項９に記載のプレゼンテーションシステムの制御装置。
【請求項１２】
前記視聴者が前記画面情報を視聴できる最大時間長である視聴可能時間を取得する視聴時間取得手段と、
前記表示スライドの表示時間の合計時間長である合計表示時間と、前記視聴可能時間とを比較する比較手段と、
前記比較手段によって前記視聴可能時間が前記合計表示時間を超えると判断された場合には、前記動画を含む前記表示スライドを除外するスライド除外手段とを備えたことを特徴とする請求項９〜１１のいずれかに記載のプレゼンテーションシステムの制御装置。
【請求項１３】
前記スライド除外手段は、前記動画を含む前記表示スライドを除外した後に前記比較手段によって前記視聴可能時間が前記合計表示時間を超えると判断された場合には、前記視聴可能時間が前記合計表示時間を超えなくなるまで、前記スライド選択手段によって選択された前記表示スライドから、前記表示順序の降順に従って、前記表示スライドを一つずつ除外することを特徴とする請求項１２に記載のプレゼンテーションシステムの制御装置。
【請求項１４】
前記属性は、職種および視聴目的であることを特徴とする請求項１〜１３のいずれかに記載のプレゼンテーションシステムの制御装置。
【請求項１５】
少なくとも一つの表示スライドから構成される画面情報を表示する表示手段と、
請求項１〜１４のいずれかに記載の制御装置とを備えたプレゼンテーションシステム。
【発明の詳細な説明】
【技術分野】
【０００１】
本発明は、プレゼンテーションシステムの制御装置およびプレゼンテーションシステムに関し、より具体的には、視聴者の属性情報や視聴可能時間に応じて表示する情報を自動的に選択するプレゼンテーションシステムの制御装置およびプレゼンテーションシステムに関するものである。
【背景技術】
【０００２】
従来から、製品展示会や店舗等において、ＶＴＲ、ＤＶＤ、プロジェクタ等の様々な情報提供機器を用いて、自動的に広告用の映像情報を表示する装置が知られている。例えば、特許文献１に記載の広告用ディスプレイ装置は、装置の近傍に存在する潜在的な視聴者（購買者）をセンサが検出すると、商品広告用の映像情報を表示するものである。このディスプレイ装置は、商品説明の詳しさを段階的に異ならせた複数の単位映像情報を記憶しており、最初は商品概要を説明する単位映像情報を表示する。そして、その後も一定時間に亘り、継続して視聴者が検出されると、その視聴者は商品に関心を持っている可能性が高いため、順次、より詳細な商品説明の単位映像情報を表示していく。
【０００３】
また、特許文献２に記載のプレゼンテーションシステムは、表示する画面情報を複数の小単位に分割し、所要予定時間との大幅な差異を生じた場合には、各小単位毎に予め設定された優先度、順序情報に従って、プレゼンテーション内容の削減追加や順序変更を行うものである。
【特許文献１】特開２０００−２６７６１２号公報
【特許文献２】特開平４−２９４３９２号公報
【発明の開示】
【発明が解決しようとする課題】
【０００４】
しかしながら、特許文献１に記載のディスプレイ装置は、視聴者がディスプレイ装置近傍に留まっている時間が長くなるほど商品説明がより詳しくなるように、複数の単位映像情報を連続的に切り替えて表示するものの、視聴者がどのような人物であっても、映像情報は同一である。特許文献２に記載のプレゼンテーションシステムも、時間が不足する場合には、表示する小単位を変更するが、同様に、視聴者の種類を考慮して変更するわけではない。実際には、例えば、視聴者が技術者であれば技術内容の詳細、商品の取引を検討する営業担当者であれば商品の特長や価格、といったように、視聴者の種類によって関心は異なるものである。したがって、視聴者によっては、自分の関心のない映像情報を視聴し続けることになり、必ずしも期待される訴求効果が得られないという問題があった。また、特許文献１においては、最初に表示されるのは常に概要説明であるため、視聴者が自分にとっては重要な情報である商品の詳細説明を視聴したいと考えても、時間がないために視聴できない場合があるという問題があった。
【０００５】
本発明は、上記問題点を解決するためになされたものであり、視聴者の属性情報や視聴可能時間に応じて表示する情報を自動的に選択するプレゼンテーションシステムの制御装置およびプレゼンテーションシステムを提供することを目的とする。
【課題を解決するための手段】
【０００６】
上記目的を達成するために、請求項１に係る発明のプレゼンテーションシステムの制御装置は、少なくとも一つの表示スライドから構成される画面情報を表示する表示手段を備えたプレゼンテーションシステムの制御装置であって、前記画面情報を視聴する視聴者の属性に関する視聴者情報を取得する視聴者情報取得手段と、前記視聴者情報取得手段によって取得された前記視聴者情報に基づいて、複数の候補スライドから、前記画面情報を構成する前記表示スライドを選択するスライド選択手段とを備えている。
【０００７】
また、請求項２に係る発明のプレゼンテーションシステムの制御装置は、請求項１に記載の発明の構成に加えて、前記スライド選択手段が、前記属性に対応する前記表示スライドが予め指定されたスライド指定情報に基づいて前記表示スライドを選択することを特徴とする。
【０００８】
また、請求項３に係る発明のプレゼンテーションシステムの制御装置は、請求項１に記載の発明の構成に加えて、前記スライド選択手段が、前記候補スライドの文字、数字、静止画、動画の少なくとも一つに基づく内容分類に応じて前記表示スライドを選択することを特徴とする。
【０００９】
また、請求項４に係る発明のプレゼンテーションシステムの制御装置は、請求項２に記載の発明の構成に加えて、前記スライド指定情報の有無を判断する判断手段をさらに備え、前記スライド選択手段は、前記判断手段によって、前記スライド指定情報があると判断された場合には、前記スライド指定情報に基づいて前記表示スライドを選択し、前記スライド指定情報がないと判断された場合には、前記候補スライドの文字、数字、静止画、動画の少なくとも一つに基づく内容分類に応じて、前記表示スライドを選択することを特徴とする。
【００１０】
また、請求項５に係る発明のプレゼンテーションシステムの制御装置は、請求項３または４に記載の発明の効果に加えて、前記スライド選択手段は、前記属性に対応する前記内容分類が予め指定された指定分類リストを参照して、前記視聴者の前記属性に対応する前記内容分類の前記表示スライドを選択することを特徴とする。
【００１１】
また、請求項６に係る発明のプレゼンテーションシステムの制御装置は、請求項３〜５のいずれかに記載の発明の構成に加えて、前記候補スライドの文字、数字、静止画、動画の少なくとも一つを解析して、前記候補スライドに前記内容分類を付与するスライド解析手段をさらに備えている。
【００１２】
また、請求項７に係る発明のプレゼンテーションシステムの制御装置は、請求項３〜６のいずれかに記載の発明の構成に加えて、前記内容分類は、前記静止画および前記動画の有無または割合、数字の字数、文字の記載形式、文字の大きさ、および文字の字数の少なくとも一つに基づいて付与されていることを特徴とする。
【００１３】
また、請求項８に係る発明のプレゼンテーションシステムの制御装置は、請求項２または４に記載の発明の構成に加えて、前記スライド指定情報は、前記属性に対応する前記表示スライドが予め指定された指定表示リストであり、
前記スライド選択手段は、前記指定表示リストを参照して、前記視聴者の前記属性に対応する前記表示スライドを選択することを特徴とする。
【００１４】
また、請求項９に係る発明のプレゼンテーションシステムの制御装置は、請求項１〜８のいずれかに記載の発明の構成に加えて、前記視聴者情報取得手段によって取得された前記視聴者情報に基づいて、前記スライド選択手段により選択された前記表示スライドを前記表示手段に表示させる表示順序を決定する表示順序決定手段をさらに備えている。
【００１５】
また、請求項１０に係る発明のプレゼンテーションシステムの制御装置は、請求項９に記載の発明の構成に加えて、前記表示順序決定手段は、前記属性に対応する前記内容分類の優先順位が予め指定された指定順序リストを参照して、前記視聴者の前記属性および前記表示スライドの前記内容分類に対応する前記優先順位に従って、前記表示順序を決定することを特徴とする。
【００１６】
また、請求項１１に係る発明のプレゼンテーションシステムの制御装置は、請求項９に記載の発明の構成に加えて、前記表示順序決定手段は、前記属性に対応する前記内容分類の重要度が予め指定された重要度リストを参照して、前記視聴者の前記属性および前記表示スライドの前記内容分類に対応する前記重要度に従って、前記表示順序を決定することを特徴とする。
【００１７】
また、請求項１２に係る発明のプレゼンテーションシステムの制御装置は、請求項９〜１１のいずれかに記載の発明の構成に加えて、前記視聴者が前記画面情報を視聴できる最大時間長である視聴可能時間を取得する視聴時間取得手段と、前記表示スライドの表示時間の合計時間長である合計表示時間と、前記視聴可能時間とを比較する比較手段と、前記比較手段によって前記視聴可能時間が前記合計表示時間を超えると判断された場合には、前記動画を含む前記表示スライドを除外するスライド除外手段とを備えている。
【００１８】
また、請求項１３に係る発明のプレゼンテーションシステムの制御装置は、請求項１２に記載の発明の構成に加えて、前記スライド除外手段は、前記動画を含む前記表示スライドを除外した後に前記比較手段によって前記視聴可能時間が前記合計表示時間を超えると判断された場合には、前記視聴可能時間が前記合計表示時間を超えなくなるまで、前記スライド選択手段によって選択された前記表示スライドから、前記表示順序の降順に従って、前記表示スライドを一つずつ除外することを特徴とする。
【００１９】
また、請求項１４に係る発明のプレゼンテーションシステムの制御装置は、請求項１〜１３のいずれかに記載の発明の構成に加えて、前記属性は、職種および視聴目的であることを特徴とする。
【００２０】
さらに、請求項１５に係る発明のプレゼンテーションシステムは、少なくとも一つの表示スライドから構成される画面情報を表示する表示手段と、請求項１〜１４のいずれかに記載の制御装置とを備えている。
【発明の効果】
【００２１】
請求項１に係る発明のプレゼンテーションシステムの制御装置は、視聴者の属性に関する視聴者情報に基づいて、表示スライドを選択する。視聴者の属性によって、技術内容、外観、価格等、商品に関する関心事はそれぞれ異なるため、視聴者の属性に応じて、その視聴者の関心が高いと思われる表示スライドを優先的に選択して表示させることにより、視聴者への訴求効果を高めることができる。
【００２２】
また、請求項２に係る発明のプレゼンテーションシステムの制御装置は、視聴者の属性に対応する表示スライドが予め指定されたスライド指定情報に基づいて、表示スライドを選択する。すなわち、視聴者の属性毎に、その属性を備えた視聴者が高い関心を持つと推測される内容のスライドを予め指定してあるので、請求項１に記載の発明の効果に加え、容易に表示スライドを選択することができる。
【００２３】
また、請求項３に係る発明のプレゼンテーションシステムの制御装置は、視聴者の属性に加え、候補スライドの文字、数字、静止画、動画の少なくとも一つに基づく内容分類に基づいて、表示スライドを選択する。したがって、請求項１に記載の発明の効果に加え、技術者には仕様などの数字の多いスライド、一般人には理解しやすい動画、といったように、視聴者の属性に合った内容の表示スライドを適切に選択することができる。
【００２４】
また、請求項４に係る発明のプレゼンテーションシステムの制御装置は、表示スライドが予め指定されたスライド指定情報がある場合はそれに従い、ない場合は、視聴者の属性と、候補スライドの内容分類とに基づいて、表示スライドを選択する。したがって、請求項２に記載の効果に加えて、スライド指定情報がない場合であっても、視聴者の属性に合った内容の表示スライドを適切に選択することができる。
【００２５】
また、請求項５に係る発明のプレゼンテーションシステムの制御装置は、視聴者の属性に対応する内容分類が予め指定された指定分類リストに基づいて、表示スライドを選択する。すなわち、視聴者の属性毎に、その属性を備えた視聴者が高い関心を持つと推測される内容分類のスライドを予め指定してあるので、請求項３または４に記載の発明の効果に加え、容易に表示スライドを選択することができる。
【００２６】
また、請求項６に係る発明のプレゼンテーションシステムの制御装置は、スライド解析手段によって、候補スライドの文字、数字、静止画、動画の少なくとも一つを解析して、内容分類を付与する。したがって、候補スライドが内容分類を有していない場合であっても、スライド解析手段によって内容分類が付与されるので、請求項３〜５のいずれかに記載の発明の効果に加え、視聴者の属性に合った内容の表示スライドを適切かつ容易に選択することができる。
【００２７】
また、請求項７に係る発明のプレゼンテーションシステムの制御装置では、前記静止画および前記動画の有無または割合、数字の字数、文字の記載形式、文字の大きさ、および文字の字数の少なくとも一つに基づいて内容分類が行われているので、請求項３〜６のいずれかに記載の発明の効果に加え、より詳細な内容分類を視聴者の属性に対応づけることができる。
【００２８】
また、請求項８に係る発明のプレゼンテーションシステムの制御装置は、視聴者の属性に対応する表示スライドが予め指定された指定表示リストに基づいて、表示スライドを選択する。すなわち、視聴者の属性毎に、その属性を備えた視聴者が高い関心を持つと推測される表示スライドを予め指定してあるので、請求項２または４に記載の発明の効果に加え、容易に表示スライドを選択することができる。
【００２９】
また、請求項９に係る発明のプレゼンテーションシステムの制御装置は、表示順序決定手段により、視聴者の属性に関する視聴者情報に基づいて表示スライドの表示順序を決定する。したがって、請求項１〜８のいずれかに記載の発明の効果に加え、その属性の視聴者の関心が高いと思われる表示スライドを、関心を維持する順序で表示させることにより、視聴者への訴求効果を高めることができる。
【００３０】
また、請求項１０に係る発明のプレゼンテーションシステムの制御装置は、表示順序決定手段により、視聴者の属性に対応する内容分類の優先順位が予め指定された指定順序リストに基づいて、表示順序を決定する。すなわち、視聴者の属性に対応して選択される内容分類毎に、優先順位が予め定められているので、請求項９に記載の発明の効果に加え、容易に表示スライドを並べることができる。
【００３１】
また、請求項１１に係る発明のプレゼンテーションシステムの制御装置は、表示順序決定手段により、視聴者の属性に対応する内容分類の重要度が予め指定された重要度リストに基づいて、表示順序を決定する。すなわち、視聴者の属性に対応して選択される内容分類毎に、重要度が予め定められているので、請求項９に記載の発明の効果に加え、容易に表示スライドを並べることができる。
【００３２】
また、請求項１２に係る発明のプレゼンテーションシステムの制御装置は、表示スライドの合計表示時間が視聴者の視聴可能時間を越える場合には、スライド除外手段により、動画を含む表示スライドを削除する。すなわち、視聴するのに必ず再生時間分の時間が必要となる動画の表示スライドを削除するため、請求項９〜１１のいずれかに記載の発明の効果に加えて、視聴者が視聴可能な時間を有効に活用して、視聴者の属性に合った内容の他の表示スライドにより、視聴者を惹きつけることができる。
【００３３】
また、請求項１３に係る発明のプレゼンテーションシステムの制御装置は、動画の表示スライドを削除しても、表示スライドの合計表示時間が視聴可能時間を超える場合には、視聴可能時間が合計表示時間を超えなくなるまで、スライド削除手段により、表示順序の降順に従って表示スライドを削除していく。表示順序は、その属性の視聴者の関心が高いと思われる表示スライドを関心を維持する順序に設定されているため、請求項１２に記載の発明の効果に加えて、視聴可能時間内で、視聴者の属性に合った表示スライドを表示させることができる。
【００３４】
また、請求項１４に係る発明のプレゼンテーションシステムの制御装置では、視聴者の属性として、職種および視聴目的を考慮する。したがって、請求項１〜１３のいずれかに記載の発明の効果に加え、職種や視聴目的に応じた適切な内容の表示スライドで視聴者を効果的に惹きつけることができる。
【００３５】
さらに、請求項１５に係る発明のプレゼンテーションシステムは、画面情報を表示する表示手段と、請求項１〜１４のいずれかに記載の制御装置とを備えているので、請求項１〜１４に記載の発明の効果を奏することができる。
【発明を実施するための最良の形態】
【００３６】
以下、本発明の実施の形態について、図面を参照して説明する。なお、これらの図面は、本発明が採用しうる技術的特徴を説明するために用いられるものであり、記載されている装置の構成、各種処理のフローなどは、特に特定的な記載がない限り、それのみに限定する趣旨ではなく、単なる説明例である。
【００３７】
<第１の実施形態>
以下、図１〜図２０を参照して、本発明の第１の実施形態に係るプレゼンテーションシステム１について説明する。プレゼンテーションシステム１は、展示会等において、展示製品の近傍にプロジェクタ１００を設置したものである。プロジェクタ１００は展示製品説明のための映像情報をスクリーン２００に表示して、不特定の視聴者に視聴させる。
【００３８】
まず、図１を参照して、プレゼンテーションシステム１の概略構成について説明する。図１は、プレゼンテーションシステム１の電気的構成を示すブロック図である。図１に示すように、プレゼンテーションシステム１、即ちプロジェクタ１００は、別途設けられた反射型のスクリーン２００に画面情報を投影するものである。プロジェクタ１００は、ＣＰＵ１１、ＲＯＭ１２、ＲＡＭ１３、操作パネル１４、タグリーダ１７、およびＵＳＢメモリ１６が接続されたＵＳＢインターフェース１５を備え、これらはすべてバス１０により相互に接続されている。また、プロジェクタ１００は、バス１０に接続されたランプ駆動回路２１、ランプ駆動回路２１により駆動されるランプ２２、ランプ２２からの光が最初に入射する照明光学系２３、照明光学系２３からの照明光を変調して画像光を形成するＬＣＤ２４、ＬＣＤ２４からの画像光をスクリーン２００に投射する結像光学系２５、映像信号が入力される映像信号入力回路３１、映像信号入力回路３１およびバス１０に接続された画像処理回路３２、画像処理回路３２に接続され、映像信号を一時的に記憶する映像記憶メモリ３３、および画像処理回路３２からの信号に基づいてＬＣＤ２４を駆動するＬＣＤ駆動回路３４を備えている。
【００３９】
ＣＰＵ１１は、ＲＯＭ１２に予め格納されたプログラムを読み出して実行することにより、プロジェクタ１００全体の制御を司る。ＲＡＭ１３は、ＣＰＵ１１が各種処理の際使用する、各種データを一時的に記憶する記憶エリア等を備えている。
【００４０】
操作パネル１４は、操作者がプロジェクタ１００の各種操作を行うためのパネルであって、プロジェクタ１００の箱状の筐体（図示外）の外部に設けられている。操作者が、操作パネル１４を用いて操作を行うと、ＣＰＵ１１は、操作内容に応じた制御を実行する。
【００４１】
ＵＳＢインターフェース１５は、ＵＳＢ（Ｕｎｉｖｅｒｓａｌ  Ｓｅｒｉａｌ  Ｂｕｓ）規格に準拠したＵＳＢインターフェースであり、ＵＳＢメモリ１６を接続することができる。ＵＳＢメモリ１６には、展示製品の映像情報であるプレゼンデータ５１（図２参照）、標準リスト（図６参照）、指定リスト（図７参照）、分類表（図９参照）、属性・分類対応表（図１２参照）、属性・時間対応表（図１４参照）等が記憶されている。これらについては、それぞれ後に詳述する。
【００４２】
タグリーダ１７は、ＩＤ等のデータを格納するメモリ機能のあるＩＣチップとアンテナとを搭載した電子タグ内に記憶されたデータの読取りを行う読取り機器である。
【００４３】
ランプ駆動回路２１は、ＣＰＵ１１からの指示に従って、ランプ２２を点灯／消灯させる。ランプ２２は、光源として用いられる高圧放電ランプである。具体的には、キセノンランプ、メタルハライドランプ、超高圧水銀ランプ等を用いることができる。
【００４４】
照明光学系２３は、ランプ２２から照射された光を平行光にしてＬＣＤ２４に入射させるための照明レンズ（図示外）からなる。
【００４５】
ＬＣＤ２４は、カラーフィルタを内蔵するカラー液晶パネルであって、ＬＣＤ駆動回路３４により駆動されて画像を表示する一方、照明光学系２３によって照明されている。ＬＣＤ２４は、照明光学系２３からの照明光を変調し、表示された画像の画像光を形成し、結像光学系２５に出射する。
【００４６】
結像光学系２５は投射レンズを備え、ＬＣＤ２４により形成された画像光を、プロジェクタ１００の筐体に設けられた投光用開口部（図示外）を通して、別途設けられたスクリーン２００に投射する。
【００４７】
映像信号入力回路３１は、コンポジット映像信号（例えばＮＴＳＣ映像信号）やコンポーネント映像信号（例えばＲＧＢ信号）等の映像信号を外部からケーブルを介して入力するときに使用される回路である。
【００４８】
画像処理回路３２は、ＣＰＵ１１からの指示に従って、映像信号入力回路３１に入力された映像信号またはＵＳＢインターフェース１５を介してＵＳＢメモリ１６から入力された映像信号を加工する。そして、映像記憶メモリ３３に、画像処理回路３２によって加工された映像信号が一時的に記憶される。映像記憶メモリ３３に記憶された映像信号は、ＣＰＵ１１に指示されたタイミングで画像処理回路３２に読み出され、ＬＣＤ駆動回路３４へ入力される。ＬＣＤ駆動回路３４は、入力された加工後の映像信号に基づいて、ＬＣＤ駆動回路３４に接続されたＬＣＤ２４を駆動する。
【００４９】
次に、図２〜図４を参照して、ＵＳＢメモリ１６に記憶された展示製品説明のための映像情報（以下、プレゼンデータという）について説明する。図２は、プレゼンデータの構成の一例の説明図である。図３は、プレゼンデータに含まれる画面データの一例の説明図である。図４は、プレゼンデータの構成の別の一例を示す説明図である。
【００５０】
図２に示すように、プレゼンデータ５１は、ヘッダ５１１と、１以上のスライド情報５１２およびスライド情報５１２に対応する画面データ５１３とから構成されている。ヘッダ５１１は、「ｐｐｔ」、「ｔｘｔ」、「ｈｔｍｌ」等、プレゼンデータ５１のファイルの種別を示す識別子を有する。スライド情報５１２には、スライド情報５１２に対応する画面データ５１３のプレゼンデータ５１中の順番５１２１、および画面データ５１３の識別情報であるスライド番号（以下、ＩＤという）が含まれている。なお、順番５１２１およびＩＤ５１２２は、プレゼンデータが作成される際、作成者によって付与されるものである。画面データ５１３は、図３に示すように、投影される映像の構成単位である一画面の映像データである。以下、スライド情報５１２と画面データ５１３からなる一画面分の情報をスライドというものとする。図３では、画面データ５１３は文字のみを含む画面として構成されているが、文字の他に、数字、静止画、および動画を含んでもよく、これらのいくつかを組み合わせた構成とすることもできる。プレゼンデータにスライドが複数含まれる場合には、図２のプレゼンデータ５１のように、１つのヘッダ５１１の後に、スライド情報５１２と画面データ５１３とがスライドの数だけ連続して含まれることになる。なお、プレゼンデータ５１に含まれる各スライドは、表示させるスライドの候補として存在し、実際には、後述するように、これらの候補スライドから選択されたスライドのみが視聴者に対して表示されることになる。
【００５１】
図２の例では、スライド情報５１２には、順番５１２１およびＩＤ５１２２のみが含まれているが、例えば、図４に示すプレゼンデータ５３のスライド情報５３１のように、時間５３１３や重要度５３１４等も含めることができる。他に、後述するスライドの内容についての分類（図示外）等を含めることもできる。時間５３１３は、対応する画面データ５１３を表示させる時間長を指定するものである。重要度５３１４は、対応する画面データ５１３を表示する優先度を示す数値であり、本実施形態では、１〜３までの数値（３ほど重要度が高い）が付与される。時間５３１３、重要度５３１４、分類等は、順番５１２１およびＩＤ５１２２と同様に、プレゼンデータ５３の作成時に作成者が予め指定してもよいし、後述するように、各スライドを分析した結果、付与される場合もある。
【００５２】
次に、図５〜図２１を参照して、プロジェクタ１００のプレゼンデータ投影動作について説明する。なお、これらの処理は、ＲＯＭ１２に格納された制御プログラムを、ＣＰＵ１１がＲＡＭ１３にロードして実行することにより行われる。
【００５３】
まず、図５〜図７を参照して、プロジェクタ１００のプレゼンデータ投影のメイン処理について説明する。図５は、プロジェクタ１００のＣＰＵ１１が実行するプレゼンデータ投影処理のフローチャートである。図６および図７は、それぞれ、図５のプレゼンデータ投影処理で用いる標準リストおよび指定リストの説明図である。
【００５４】
図５に示すプレゼンデータ投影動作のメイン処理は、プロジェクタ１００の電源が投入された状態で、展示製品の説明を求める視聴者がスタートボタン（図示外）を押すと開始される。処理が開始された後、視聴者が操作パネル１４に表示された指示に従い、タグリーダ１７で自分の電子タグを読み取ると、タグリーダ１７を介して入力された視聴者の職種および来場目的、すなわち、プレゼンデータの視聴目的がＣＰＵ１１によって取得され、ＲＡＭ１３に記憶される（Ｓ１１）。なお、この電子タグは、視聴者の展示会への入場証として、視聴者の氏名、所属（会社名）、職種、来場目的、年齢等、視聴者の属性に関する情報が予め記憶されたものである。次に、視聴者が、操作パネル１４に表示された指示に従って、操作パネル１４を操作して、自分が展示製品のプレゼンデータを視聴できる最大の時間長である視聴可能時間を入力すると、これも同様にしてＲＡＭ１３に記憶される（Ｓ１２）。電子タグがない場合、視聴可能時間の指定がない場合は、視聴者によって、いずれも操作パネル１４から「無」のデータが入力される。
【００５５】
次に、ＣＰＵ１１は、視聴者の職種および視聴の目的がＲＡＭ１３に記憶されているか否かをチェックし（Ｓ１３）、なければ（Ｓ１３：ＮＯ）、視聴者情報がない場合に使用するものとして予め設定され、ＵＳＢメモリ１６に記憶された標準リスト（図６）を参照して、標準リストに定められた通りに、ＲＡＭ１３の記憶エリアの１つである選択スライドリスト記憶エリアに記憶された選択スライドリストを設定する（Ｓ１４）。図６に示すように、標準リストは、表示すべきスライドとその表示時間を一律に指定するリストであり、表示スライドの各々について、表示する順番（記載順）、ＩＤ（５、１、２）、および表示すべき時間（４５秒（ｓ）、３０ｓ、１５ｓ）が定められている。したがって、ＣＰＵ１１は、ＵＳＢメモリ１６に記憶されたプレゼンデータから標準リストに記載されたＩＤのスライドを抽出し、指定された順番に従って、ＩＤ、時間、および画面データを並べて選択スライドリストに追加し、記憶させる。その後、ＣＰＵ１１は、選択スライドリストに設定されたスライドの画面データを、順にＬＣＤ２４に表示させ、形成された画像光を結像光学系２５によりスクリーン２００に投影して（Ｓ３３）、処理を終了する。
【００５６】
一方、視聴者の職種および視聴目的がタグリーダ１７により取得され、ＲＡＭ１３に記憶されている場合には（Ｓ１３：ＹＥＳ）、ＣＰＵ１１は、ＵＳＢメモリ１６に指定リストが記憶されているか否かを判断する（Ｓ２１）。指定リストとは、「職種」および視聴の「目的」毎に、表示すべきスライドと、その表示時間と、スライドの重要度とを予め指定するリストであり、例えば図７に示すように、「職種」が「技術者」、「目的」が「専門情報収集」の場合には、ＩＤが「４、７、６、３」のスライドを、リストの記載順でそれぞれ「３０ｓ、６０ｓ、６０ｓ、３０ｓ」ずつ表示するよう指定している。各スライドの重要度は「３、３、２、１」で、重要度が高いものほど先に表示されるように設定されている。ＣＰＵ１１は、ＵＳＢメモリ１６に指定リストが記憶されていれば（Ｓ２１：ＹＥＳ）、後述するスライド選択・並び替え処理（Ｓ３１および図１３）に移る。一方、指定リストがなければ（Ｓ２１：ＮＯ）、プレゼンデータがすでに解析され、各スライドに分類が付与されているか否かを判断する（Ｓ２２）。具体的には、プレゼンデータのスライド情報にすでに「分類」が含まれていれば解析済みであり（Ｓ２２：ＹＥＳ）、例えば図４のプレゼンデータ５３のように「分類」が含まれていなければ未解析と判断する（Ｓ２２：ＮＯ）。解析済みと判断した場合は（Ｓ２２：ＹＥＳ）そのまま、未解析の場合は（Ｓ２２：ＮＯ）後述するプレゼンデータ解析処理を行ってから（Ｓ２３）、スライド選択・並び替え処理に移る（Ｓ３１）。いずれの場合も、スライド選択・並び替え処理が完了すると（Ｓ３１）、ＣＰＵ１１は後述する時間設定処理を行い（Ｓ３２）、選択スライドリストに設定されたスライドの画面データを順にＬＣＤ２４に表示させ、形成された画像光を結像光学系２５によりスクリーン２００に投影して、処理を終了する。
【００５７】
次に、図８のフローチャートと、図９〜図１１を参照して、図５のメイン処理で行われるプレゼンデータ解析処理について説明する。図８は、図５のメイン処理で行われるプレゼンデータ解析処理のサブルーチンのフローチャートである。図９は、図８のプレゼンデータ解析処理で用いる分類表の説明図である。図１０は、解析後のプレゼンデータの構成の一例の説明図である。図１１は、解析後のプレゼンデータの一例の説明図である。
【００５８】
このプレゼンデータ解析処理は、プレゼンデータを構成する各スライドについて、内容を考慮して予め定められた分類表に基づいて内容分類を設定するものである。本実施形態では、図９の分類表の右欄に示す条件に従って、「１：静止画」、「２：動画」、「３：数字」、「４：箇条書き」、「５：サイズ大・文字数少」、「６：サイズ大・文字数多」、「７：詳細説明」の７つの分類番号と、スライドに含まれる文字（数字、記号を含む）の字数が設定される。以下、具体的な処理について詳述する。
【００５９】
図８に示すように、処理が開始されると、ＣＰＵ１１はまず、ＵＳＢメモリ１６に記憶されたプレゼンデータから、まず先頭（順番＝１）のスライドを選択してＲＡＭ１３に取得する（Ｓ１０１）。なお、この時点のプレゼンデータは、図２に示すプレゼンデータ５１のように、スライド情報５１２としては、順番５１２１とＩＤ５１２２しか含まないものとする。先頭のスライド選択時には、まだ全スライドについて解析が完了していないので（Ｓ１０２：ＮＯ）、ＵＳＢメモリ１６に記憶された分類表（図９）に従い、選択されたスライドの画面データに、画面データのシートサイズの５０％以上を占めるイメージ（静止画像）が含まれているか否かが判断される（Ｓ１１１）。含まれていれば（Ｓ１１１：ＹＥＳ）、分類は「１：静止画」に該当するので、図１０に示すように、ＵＳＢメモリ１６に記憶されたプレゼンデータのうち、処理対象のスライド（最初は順番＝１のスライド）のスライド情報５２２に、分類５２２５として「１」を記憶させる（Ｓ１１２）。
【００６０】
一方、処理対象のスライドの画面データに、画面データのシートサイズの５０％以上を占めるイメージが含まれていない場合には（Ｓ１１１：ＮＯ）、分類表（図９）に従い、アニメーション制御フラグまたは動画拡張子が検出されたか否かに基づいて、画面データに動画が含まれているか否かを判断する（Ｓ１２１）。いずれかが検出された場合には（Ｓ１２１：ＹＥＳ）、分類は「２：動画」に該当するので、ＵＳＢメモリ１６に記憶されたプレゼンデータのうち、処理対象のスライドのスライド情報５２２に分類５２２５として「２」を設定する（Ｓ１２２）。
【００６１】
動画が検出されない場合には（Ｓ１２１：ＮＯ）、分類表（図９）に従い、数字が１５字以上が検出されたか否かに基づいて、数字の多い画面データ（分類３：数字）であるか否かを判断する（Ｓ１３１）。１５字以上の数字が検出された場合には（Ｓ１３１：ＹＥＳ）、図１０に示すように、ＵＳＢメモリ１６に記憶されたプレゼンデータのうち、処理対象のスライドのスライド情報５２２に分類５２２５として「３」を記憶させ（Ｓ１３２）、さらに、字数５２２６として検出された文字（数字、記号を含む）の字数を記憶させる（Ｓ１７１）。
【００６２】
数字がまったく検出されないか、検出されても１５文字未満であれば（Ｓ１３１：ＮＯ）、分類表（図９）に従い、文字列の先頭文字が記号または数字または括弧であって、かつ、このような文字列が２行以上存在するか否かに基づいて、箇条書きを主とした画面データ（分類４：箇条書き）であるか否かを判断する（Ｓ１４１）。箇条書きが主だと判断された場合には（Ｓ１４１：ＹＥＳ）、図１０に示すように、ＵＳＢメモリ１６に記憶されたプレゼンデータのうち、選択されたスライドのスライド情報５２２に分類５２２５として「４」を記憶させ（Ｓ１４２）、さらに、字数５２２６として検出された字数を記憶させる（Ｓ１７１）。
【００６３】
箇条書きの文字列が検出されない場合（Ｓ１４１：ＮＯ）、分類表（図９）に従い、文字サイズが２０ポイント以上であって（Ｓ１５１：ＮＯ）、かつ、文字数が５０字未満であれば（Ｓ１６１：ＮＯ）、「５：サイズ大・文字数少」の分類に該当する。よって、ＵＳＢメモリ１６に記憶されたプレゼンデータのうち、選択されたスライドのスライド情報５２２に分類５２２５として「５」を記憶させ（Ｓ１６３）、さらに、字数５２２６として検出された字数を記憶させる（Ｓ１７１）。
【００６４】
文字サイズが２０ポイント以上であるが（Ｓ１５１：ＮＯ）、文字数が５０字以上であれば（Ｓ１６１：ＹＥＳ）、図９の分類表を参照すると、「６：サイズ大・文字数多」に分類されるので、ＵＳＢメモリ１６に記憶されたプレゼンデータのうち、選択されたスライドのスライド情報５２２に分類５２２５として「６」を記憶させ（Ｓ１６２）、さらに、字数５２２６として検出された字数を記憶させる（Ｓ１７１）。
【００６５】
文字サイズが２０ポイント未満の場合は（Ｓ１５１：ＹＥＳ）、分類表（図９）によれば「７：詳細説明」に該当するので、選択されたスライドのスライド情報５２２に分類５２２５として「７」を記憶させ（Ｓ１５２）、さらに、字数５２２６として検出された字数を記憶させる（Ｓ１７１）。
【００６６】
前述のように、Ｓ１１１〜Ｓ１６３の処理によって、プレゼンデータの各スライドに分類番号１〜７が設定され、Ｓ１７１の処理によって、分類番号３〜７までの各スライドに字数が設定されると、ＣＰＵ１１は、プレゼンデータの中で次の順番に記憶されたスライドを選択する（Ｓ１７２）。次の順番のスライドを選択した後は（Ｓ１７２）、いずれの場合もＳ１０２に戻り、前述のＳ１１１〜Ｓ１７２までの処理を繰り返す。プレゼンデータを構成する全てのスライドについて解析が終了すると（Ｓ１０２：ＹＥＳ）、図５のメイン処理に戻る。
【００６７】
解析が終了した時点で、図２の未解析のプレゼンデータ５１は、図１０に示すように、ヘッダ５１１と、順番５１２１、ＩＤ５２２２、分類５２２５、および字数５２２６を含むスライド情報５２２と、画面データ５１３とから構成されるプレゼンデータ５２となる。また、図１１に示す画面データを有するプレゼンデータの例では、図９の分類表に従った前述の処理により、ＩＤが１および２のスライドは「分類４：箇条書き」、ＩＤが３のスライドは「分類７：詳細説明」、ＩＤが４のスライドは「分類１：静止画」、ＩＤが５のスライドは「分類２：動画」、ＩＤが６のスライドは「分類３：数字」、ＩＤが７のスライドは「分類５：サイズ大・文字数少」にそれぞれ分類される。
【００６８】
次に、図１２のフローチャートと、図１３および図１４を参照して、図５のメイン処理で行われるスライド選択・並べ替え処理について説明する。図１２は、スライド選択・並び替え処理のサブルーチンのフローチャートである。図１３は、図１２のスライド選択・並び替え処理で用いる属性・分類対応表の説明図である。図１４は、スライド選択・並べ替え処理後のスライドの説明図である。このスライド選択・並べ替え処理は、プレゼンデータから視聴者の職種および目的に応じたスライドを選択し、適切な順序に並び替える処理である。
【００６９】
図１２に示すように、処理が開始されると、ＣＰＵ１１はまず、ＲＡＭ１３の選択スライドリスト記憶エリアに記憶されていた選択スライドリストをリセットしてから（Ｓ２００）、ＵＳＢメモリ１６に前述の指定リスト（図７参照）が記憶されているか否かを判断する（Ｓ２０１）。指定リストがあれば（Ｓ２０１：ＹＥＳ）、その中から、タグリーダ１７により取得され、ＲＡＭ１３に記憶された視聴者の属性および目的と一致する属性および目的の指定リストを選択する（Ｓ２０２）。例えば、視聴者の職種が「技術者」で、「目的」が「専門情報収集」であれば、図７に示す指定リストが選択される。そして、選択された指定リストに従って、ＵＳＢメモリ１６に記憶されたプレゼンデータから、指定リストに記載されたＩＤのスライドを記載順に抽出し、スライド情報５２２の順番５１２１（図１０参照）を指定された順番に書き換えて選択スライドリストに追加し、ＲＡＭ１３の選択スライドリスト記憶エリアに記憶する（Ｓ２０３）。選択スライドリストの設定が終了すると（Ｓ２０３）、図５に示すメイン処理に戻る。
【００７０】
一方、指定リストがない場合には（Ｓ２０１：ＮＯ）、ＣＰＵ１１は、ＵＳＢメモリ１６に記憶された属性・分類対応表（図１３）に従い、以下に詳述するスライドの選択および並び替えの処理を行う。図１３に示すように、属性・分類対応表には、職種および視聴の目的毎に、表示すべき分類の番号が、表示すべき順番で指定されている。すなわち、それぞれの職種、目的に応じて、関心が高いであろうと思われる分類が選択され、視聴者の興味が失われないような順番を考慮して、属性・分類対応表が作成されている。例えば、視聴者の職種が「技術者」で、「目的」が「専門情報収集」であれば、プレゼンデータ作成時に予め設定された分類番号、または前述のプレゼンデータ解析処理（図８）で付与された分類番号が「１、５、３、７」に該当するスライドをこの順番で表示することを意味する。一般的に、技術者は数字に強く、関心を持ちやすいため、他の職種（営業職、経営者、一般）とは異なり、どの目的についても、数字が多いスライド（分類３）が選択されている。また、目的が「商談」であれば、当然、価格や詳細情報に含まれる数字に関心が高いと思われるため、どの職種についても、数字が多いスライド（分類３）が選択されている。反対に、「トレンドウォッチ」が目的なら、注目を強く惹きつける画像（分類１：静止画および分類２：動画）を主として表示する。また、視聴者の職種が「技術者」で、「目的」が「専門情報収集」場合、スライドの表示順序は、前述の理由から、静止画（分類１）を最初にして注目を惹きつけ、次に数字（分類３）を示して、興味を失わせないように考慮されている。
【００７１】
ＣＰＵ１１は、指定リストがないと判断すると（Ｓ２０１：ＮＯ）、タグリーダ１７により取得され、ＲＡＭ１３に記憶された視聴者の職種および目的を参照して、属性・分類対応表（図１３）から、これらと同じ職種および目的の分類番号を選択し、そのうち最初に設定された分類番号を、選択スライドリストにセットする（Ｓ２１２）。例えば、視聴者の職種が「技術者」で、「目的」が「専門情報収集」場合の分類番号は「１、５、３、７」なので、ＲＡＭ１３の記憶エリアに設けられた処理分類記憶エリアに「１」をセットする。そして、ＵＳＢメモリ１６に記憶されたプレゼンデータから先頭（順番＝１）のスライドを選択し（Ｓ２１３）、この時点ではまだ全てのスライドについて処理が終了していないので（Ｓ２２１：ＮＯ）、先頭スライドのスライド情報５２２に含まれる分類５２２５（図１０）の番号が、処理分類記憶記憶エリアにセットされた分類番号と一致するか否かをチェックする（Ｓ２２２）。一致していれば（Ｓ２２２：ＹＥＳ）選択スライドリストに追加してから（２２２３）、一致していなければ（Ｓ２２２：ＮＯ）そのまま、次のＳ２２４に進み、プレゼンデータから、次の順番のスライドを選択する（Ｓ２２４）。例えば、職種が「技術者」で「目的」が「専門情報収集」場合に図１１のプレゼンデータから選択を行うと、先頭のＩＤ＝１のスライドは、分類＝４であるから、このスライドは選択されず、次のＩＤ＝２のスライドに移る。
【００７２】
そして、処理分類記憶エリアにセットされた最初の分類番号について、全スライドの処理が終了するまで（Ｓ２２１：ＹＥＳ）、Ｓ２２１〜Ｓ２２４の処理を繰り返す。図１１の例では、この過程で、順番が４番目（ＩＤ＝４）の分類＝１のスライドのみが選択され、選択スライドリストに追加されることになる。最初の分類番号について、全スライドの処理が終了したら（Ｓ２２１：ＹＥＳ）、属性・分類対応表（図１３）に次に設定されている分類番号があれば（Ｓ２３１：ＮＯ）、その分類番号を処理分類記憶エリアにセットし（Ｓ２３２）、前述のＳ２１３〜Ｓ２３１の処理を繰り返す。図１１の例では、「５」がセットされる。こうして、属性・分類対応表（図１３）で指定された分類番号の全てについて、該当するスライドの選択が終了すると（Ｓ２３１：ＹＥＳ）、図５のメイン処理に戻る。前述したように、属性・分類対応表（図１３）は、分類番号の並び順まで指定しているので、この処理が完了した時点で、選択されたスライドは、適切な並び順になっている。例えば、図１１のプレゼンデータについて、職種が「技術者」で、「目的」が「専門情報収集」の場合は、属性・分類対応表（図１３）の分類番号の並び順「１、５、３、７」に従い、図１４のように、ＩＤが「４、７、６、３」のスライドが、この順番で選択されることになる。
【００７３】
次に、図１５〜図２０を参照して、図５のメイン処理で行われる時間調整処理について説明する。図１５は、時間調整処理のサブルーチンのフローチャートである。図１６は、図１５の時間調整処理で行われるスライド時間短縮処理のサブルーチンのフローチャートである。図１７は、図１６のスライド時間短縮処理で用いる係数表の説明図である。図１８は、選択スライドの時間設定に用いる分類・時間対応表の説明図である。図１９は、図１５の時間調整処理で行われるスライド削除処理のサブルーチンのフローチャートである。図２０は、図１９のスライド削除処理で用いるスライド順・分類対応表の説明図である。
【００７４】
まず、図１５のフローチャートおよび図１８を参照して、図５のメイン処理で行われる時間調整処理について説明する。この処理は、視聴者の視聴可能時間や指定リストで指定された時間を考慮して、前述の処理ですでに選択および並び替えがなされたスライドの表示時間を調整するものである。
【００７５】
図１５に示すように、時間調整処理が開始されると、ＣＰＵ１１はまず、操作パネル１４を介して視聴者から取得した視聴可能時間がＲＡＭ１３に記憶されているか否かをチェックする（Ｓ３５１）。視聴可能時間があれば（Ｓ３５１：ＹＥＳ）、ＵＳＢメモリ１６に、ＲＡＭ１３に記憶された視聴者の属性および視聴の目的に対応する指定リストが記憶されており、その指定リストに、各スライドの表示時間が指定されているか否かをチェックする（Ｓ３５２）。図７の例のように、スライドの表示時間が指定されている場合には、各スライドに指定された時間を合計し（Ｓ３５３）、視聴可能時間と比較する（Ｓ３５４）。指定された時間の合計が視聴可能時間を超える場合には（Ｓ３５４：ＹＥＳ）、そのままでは視聴者が指定されたスライドを完全に視聴できない可能性があるため、後に詳述するスライド時間短縮処理を行い（Ｓ３５５）、図５のメイン処理に戻る。指定された時間の合計が視聴可能時間以内であれば（Ｓ３５４：ＮＯ）、前述のスライド選択・並び替え処理（図１２参照）によって選択スライドリストに記憶された各選択スライドに、指定リストで指定された時間をそのまま設定し（Ｓ３５６）、図５のメイン処理に戻る。
【００７６】
一方、指定リストがない場合や、指定リストはあっても時間が指定されていない場合には（Ｓ３５２：ＮＯ）、ＵＳＢメモリ１６に記憶されたプレゼンデータに、時間が設定されているか否かを判断する（Ｓ３６１）。ここで、プレゼンデータに時間が設定されている場合とは、前述した図４の例のように、予め、プレゼンデータの作成者によってスライド情報５３１に時間５３１３が設定されている場合である。この場合は（Ｓ３６１：ＹＥＳ）、選択スライドリストに記憶された各選択スライドとＩＤが一致するプレゼンデータ中のスライド情報５３１の時間５３１３を合計し（Ｓ３６２）、視聴可能時間と比較する（Ｓ３６３）。プレゼンデータに設定された時間に基づいて算出した合計時間が視聴可能時間を超える場合には（Ｓ３６３：ＹＥＳ）、後述するスライド時間短縮処理を行い（Ｓ３６４）、図５のメイン処理に戻る。合計時間が視聴可能時間以内であれば（Ｓ３６３：ＮＯ）、各選択スライドにプレゼンデータに設定された時間をそのまま設定し（Ｓ３６５）、図５のメイン処理に戻る。
【００７７】
プレゼンデータに時間設定がない場合には（Ｓ３６１：ＮＯ）、ＵＳＢメモリ１６に記憶された分類・時間対応表（図１８）を参照して、選択スライドリストに記憶された各選択スライドが表示されるべき指定時間の合計値を算出する（Ｓ３７１）。図１８に示すように、分類・時間対応表は、分類番号と、その分類番号のスライドが表示されるべき時間である指定時間を対応させたリストである。この指定時間は、静止画（分類１）については固定値である１５ｓ、動画（分類２）はそれぞれの再生時間が指定されているが、文字や数字が主な内容である分類３〜７については、字数を考慮した算定式により算出する。すなわち、字数が多くて視聴して理解するのに時間がかかると思われるものは長めに、字数が少ないものは時間がかからないので短めに、それぞれ指定時間が設定される。例えば、図１８に示すように、分類＝３の「数字」や分類＝７の詳細説明のスライドについては、１／４を乗じた時間（ｓ）が設定されているのに対し、分類＝４の「箇条書き」や分類＝５の「文字サイズ大・文字数少」は、字数に１／８を乗じた時間（ｓ）が設定されている。なお、指定時間の算出に必要な字数は、前述のプレゼンデータ解析処理（図８）でカウントされ、プレゼンデータに設定されたもの（図１０参照）を用いる。
【００７８】
選択スライドの指定時間の合計値を算出すると（Ｓ３７１）、ＣＰＵ１１は、これと視聴可能時間との比較を行う（Ｓ３７２）。分類・時間対応表（図１８）に基づいて算出した合計時間が視聴可能時間を超える場合には（Ｓ３７２：ＹＥＳ）、後述するスライド削除処理を行い（Ｓ３７３）、図５のメイン処理に戻る。合計時間が視聴可能時間以内であれば（Ｓ７２：ＮＯ）、前述の分類・時間対応表（図１８）に基づいて、各選択スライドに指定時間を設定し（Ｓ３６５）、図５のメイン処理に戻る。
【００７９】
視聴可能時間がＲＡＭ１３に記憶されていない場合には（Ｓ３５１：ＮＯ）、ＵＳＢメモリ１６に記憶された指定リストに各スライドの表示時間が指定されていれば（Ｓ３８１：ＹＥＳ）、各選択スライドに指定リストで指定された時間をそのまま設定する（Ｓ３８２）。一方、指定リストがない場合や、指定リストはあっても時間が指定されていない場合には（Ｓ３８１：ＮＯ）、ＵＳＢメモリ１６に記憶されたプレゼンデータに時間が設定されていれば（Ｓ３９１：ＹＥＳ）その時間を設定する（Ｓ３９２）。プレゼンデータに時間が設定されていなければ（Ｓ３９１：ＮＯ）、前述の分類・時間対応表（図１８）に基づいて、指定時間を設定する（Ｓ３９３）。そして、時間設定後は、いずれの場合も図５のメイン処理に戻る。
【００８０】
次に、図１６のフローチャートと、図１７を参照して、図１５の時間調整処理で行われるスライド時間短縮処理について説明する。この処理は、予め各スライドの表示時間および重要度が指定された指定リストやプレゼンデータがある場合は、この重要度に基づいて、表示時間の合計が視聴可能時間以内におさまるように各スライドの表示時間を短縮する処理である。
【００８１】
図１６に示すように、処理が開始されると、ＣＰＵ１１はまず、選択スライドリストに記憶された選択スライドから、先頭のスライドを選択する（Ｓ９３１）。処理対象が先頭スライドであれば、まだ全てのスライドについて処理が終了していないので（Ｓ９３２：ＮＯ）、設定時間＝αｎ×（選択スライドの重要度／全選択スライドの重要度合計）×視聴可能時間を算出し、処理対象である先頭のスライドに設定する（すでに時間があるときは書き換える）（Ｓ９３３）。なお、図１７に示す係数表の係数αｎは、式αｎ＝ｌｏｇ１０（１１−ｎ）により得られる重み付け関数である。図１７から明らかなように、αｎはスライドの順番が後ろになるほど小さくなるので、設定時間もこれに合わせて短くなる。前述したように、図７のような指定リストがある場合には、選択スライドリストのスライドは、指定リスト通り、すなわち重要度の高い順に並べられ、指定リストがない場合には、図８のプレゼンデータ解析処理で付与された分類に基づき、視聴者の属性に応じた適切な順序ですでに並べられている。つまり、いずれの場合も重要度の高い順に並べられているとみなせる。このように、順番が前の重要度が高いスライドほど長く、後ろの重要度が低いスライドほど短く表示時間が設定されている。図７に示す指定リストを例に挙げると、取得された視聴可能時間が１５０ｓであれば、順番＝１、ＩＤ＝４のスライドについては、設定時間＝αｎ×（選択スライドの重要度／全選択スライドの重要度合計）×視聴可能時間＝１．００×｛３／（３＋３＋２＋１）｝×１５０ｓ＝５０ｓが算出され、表示時間として設定される。同様にして、順番＝２〜４のスライドについても、それぞれ４８ｓ、３０ｓ、１４ｓが設定され、合計時間（１４２ｓ）が視聴可能時間（１５０ｓ）におさまるように調整される。
【００８２】
次に、図１９のフローチャートと、図２０を参照して、図１５の時間調整処理で行われるスライド削除処理について説明する。この処理は、スライドの内容に応じた分類が付与されている場合に、表示時間の合計が視聴可能時間以内におさまるように、スライド順・分類対応表（図２０）を参照して、視聴に時間がかかる内容分類のスライドから削除していく処理である。図２０に示すように、スライド順・分類対応表には、スライド順に対応する分類番号が指定されている。スライド順は、スライドの内容に基づいて、分類＝２の「動画」を除く６つの分類が、静止画をスライド順＝１として、字数の少ない分類順に設定されている。すなわち、視聴に時間がかかる分類のスライドほど、スライド順が後ろに設定されている。
【００８３】
図１９に示すように、処理が開始されると、ＣＰＵ１１は、選択スライドリストに記憶された選択スライドから、分類番号が「２」のスライドを削除する（Ｓ３１３）。前述したように、分類番号が「２」のスライドは、動画を含むので（図９参照）、効果的な表示をするには、動画の再生時間を確保するのが望ましい。したがって、図１８に示す分類・時間対応表でも、「再生時間」が指定されている。しかし、限られた視聴可能時間内で、必ず所定の再生時間が消費されると、他の重要なスライドを表示する時間が確保できなくなる可能性がある。そこで、この処理では、まず分類＝２の動画を含むスライドを、選択スライドリストから削除する（Ｓ３１３）。そして、削除後に選択スライドリストに残った選択スライドの指定時間の合計値を算出してから（Ｓ３１４）、ＲＡＭ１３に記憶されたスライド順カウンタに「６」をセットする（Ｓ３１５）。
【００８４】
そして、図１８に示す分類・時間対応表を参照して、選択スライドリストに残ったスライドの指定時間の合計値と視聴可能時間とを比較する（Ｓ３２１）。まだ指定時間の合計が視聴可能時間を超える場合には（Ｓ３２２：ＹＥＳ）、スライド順・分類対応表（図２０）を参照して、スライド順カウンタにセットされたスライド順に対応する分類のスライドを選択スライドリストから削除する（Ｓ３２２）。最初の処理では、スライド順は「６」であるから、分類＝７の「詳細説明」のスライドが削除される。この時点では、スライド順カウンタの数はまだ「３」にはなっていないので（Ｓ３３１：ＮＯ）、分類＝７のスライドが削除された後、選択スライドリストに残った選択スライドの指定時間の合計値を算出してから（Ｓ３３２）、スライド順カウンタの数を１減らして「５」とする（Ｓ３３３）。そして、同様にＳ３２１〜Ｓ３３３の処理を繰り返した結果、選択スライドリストに残ったスライドの指定時間の合計位置が視聴可能時間を超えなくなる前に（Ｓ３２１：ＹＥＳ）スライド順カウンタの数が「３」に達してしまった場合は（Ｓ３３１）、選択スライドリストに残った選択スライドは、分類＝１の「静止画」のみとなる。この場合は、各選択スライドに、視聴可能時間を「静止画」のスライドの数で割った値を表示時間として設定し、図１５の時間調整処理に戻る。一方、スライド順が「３」に至る前に、選択スライドリストに残ったスライドの指定時間の合計位置が視聴可能時間を超えなくなれば、同様にして残りの選択スライドに時間を割り付け、図１５の時間調整処理に戻る。
【００８５】
以上説明したように、本実施形態のプレゼンテーションシステム１によれば、タグリーダ１７を介して取得した視聴者の属性、すなわち職種およびプレゼンデータの視聴目的に応じて、視聴者が関心を持つと推測される内容分類のスライドが適切に選択されるとともに、視聴者の関心を維持するようにスライドが並べられる。したがって、どのような種類の視聴者にも、効果的なプレゼンテーションを行うことができる。また、各スライドの表示時間は、スライドに含まれる字数を考慮して設定されるので、視聴して理解するのに十分な時間が確保され、視聴者の満足を得ることできる。さらに、視聴者がプレゼンデータを視聴できる時間が限られている場合には、職種と目的に基づいて、視聴者にとっての重要度が低くなるに従い、徐々に表示時間を短縮したり、内容分類に基づいて、視聴に時間がかからないスライドを優先して表示させたりする。したがって、時間がない視聴者に対しても、効果的なプレゼンテーションを行うことができる。
【００８６】
なお、本実施形態では、プロジェクタ１００が本発明の「プレゼンテーションシステムの制御装置」に相当し、ランプ駆動回路２１、ランプ２２、照明光学系２３、ＬＣＤ２４、結像光学系２５、およびＬＣＤ駆動回路３４が、「表示手段」に相当する。また、図５のＳ１１の処理を行うＣＰＵ１１が、本発明の「視聴者情報取得手段」に相当し、Ｓ１２の処理を行うＣＰＵ１１が、「視聴時間取得手段」に相当する。また、図５のＳ３１（図１２）の処理を行うＣＰＵ１１が、本発明の「スライド選択手段」に相当する。また、図５のＳ３１（図１２）の処理を行うＣＰＵ１１が、本発明の「表示順序決定手段」に相当する。また、図１２のＳ２０１の処理を行うＣＰＵ１１が、本発明の「判断手段」に相当する。また、図５のＳ２３（図８）の処理を行うＣＰＵ１１が、本発明の「スライド解析手段」に相当する。また、図１５のＳ３５４、Ｓ３６３、およびＳ３７２の処理を行うＣＰＵ１１が、本発明の「比較手段」に相当する。また、図１９の処理を行うＣＰＵ１１が、本発明の「スライド除外手段」に相当する。
【００８７】
<第２の実施形態>
次に、図２１〜図３３を参照して、第２の実施形態について説明する。本実施形態に係るプレゼンテーションシステム１、即ちプロジェクタ１００は、第１の実施形態では同時に行われていたスライドの選択処理と並べ替え処理を、別個に行うものである。また、プレゼンデータ解析処理や時間調整処理の内容にも異なる点がある。以下、これらの相違点を主として詳述する。なお、本実施形態において、プロジェクタ１００およびＵＳＢメモリ１６に記憶されたプレゼンデータの構成については、第１の実施形態と同一であるため説明を省略する。
【００８８】
まず、図２１を参照して、第２の実施形態に係るプロジェクタ１００のプレゼンデータ投影動作のメイン処理について説明する。図２１は、プロジェクタ１００のＣＰＵ１１が実行するプレゼンデータ投影処理のフローチャートである。
【００８９】
図２１のメイン処理が開始されると、ＣＰＵ１１は、第１の実施形態と同様にして、ＣＰＵ１１は、タグリーダ１７を介して視聴者の職種および視聴の目的等を含む視聴者情報を取得し（Ｓ４０１）、さらに、操作パネル１４を介して視聴可能時間を取得する（Ｓ４０２）。そして、視聴者情報がない場合は（Ｓ４１１：ＮＯ）、標準リスト（図６）に定められた通りに選択スライドリストを設定し（Ｓ４１２）、選択スライドリストのスライドの画面データをＬＣＤ２４に表示させ、形成された画像光を結像光学系２５によりスクリーン２００に投影して（Ｓ４３４）、処理を終了する。
【００９０】
視聴者情報に加えて（Ｓ４１１：ＹＥＳ）指定リストがある場合と（Ｓ４２１：ＹＥＳ）、指定リストはないが（Ｓ４２１：ＮＯ）、プレゼンデータが解析済みですでに分類を有する場合は（Ｓ４２２：ＹＥＳ）、後述するスライド選択処理（Ｓ４３１）に移る。プレゼンデータが未解析であれば（Ｓ４２２：ＮＯ）、後述するプレゼンデータ解析処理（Ｓ４２３）を行ってから、スライド選択処理（Ｓ４３１）に移る。そして、スライド選択処理（Ｓ４３１）の後、後述する並び替え処理（Ｓ４３２）および時間調整処理（Ｓ４３３）を行い、選択スライド選択スライドリストに記憶されたスライドの画面データをＬＣＤ２４に表示させ、形成された画像光を結像光学系２５によりスクリーン２００に投影して（Ｓ４３４）、処理を終了する。
【００９１】
次に、図２２および図２３を参照して、図２１のメイン処理で行われる本実施形態のプレゼンデータ解析処理について説明する。図２２は、プレゼンデータ解析処理のサブルーチンのフローチャートである。図２３は、プレゼンデータ解析処理で時間設定に用いる分類・時間対応表の説明図である。第１の実施形態のプレゼンデータ解析処理では、プレゼンデータを構成する各スライドに分類とともに字数が設定されていたが、本実施形態では、後述するように、分類とともに時間が設定される。
【００９２】
図２２に示す処理が開始されると、ＣＰＵ１１は、第１の実施形態と同様に、順に、イメージの割合（Ｓ５１１）、動画の有無（Ｓ５２１）、数字の字数（Ｓ５３１）、箇条書き形式の有無（Ｓ５４１）、文字サイズ（Ｓ５５１）、文字数（Ｓ５６１）に基づいて、分類１〜７までを各スライドに付与する（Ｓ５１２、Ｓ５２２、Ｓ５３２、Ｓ５４２、Ｓ５６３、Ｓ５６２、Ｓ５５２）。そして、その後、第１の実施形態とは異なり、各スライドに、ＵＳＢメモリ１６に記憶された分類・時間対応表（図２３）に従って、指定時間を設定する（Ｓ５７１）。図２３に示すように、分類・時間対応表は、分類番号と、その分類番号のスライドが表示されるべき時間である指定時間とを対応させたリストである。この指定時間は、１〜７までの各分類について、視聴する際に必要とする時間を考慮して予め設定された所定の値である。静止画（分類１）については固定値である１５ｓ、動画（分類２）はそれぞれ動画の再生時間が指定されているが、文字・数字が主な内容である分類３〜７については、読みやすさに応じた指定時間が設定されている。例えば、図２３に示すように、分類＝３の「数字」、分類＝６の「文字サイズ大・字数多」、および分類＝７の「詳細説明」は、読むのに時間がかかるため、最長時間の３０ｓが、容易に読める分類＝４の「箇条書き」には、最短の２０ｓが設定されている。このように、スライドの内容に応じた時間設定が行われた後（Ｓ５７１）、ＣＰＵ１１は次のスライドを選択し（Ｓ５７２）、全スライドの処理が終了するまで（Ｓ５０２：ＹＥＳ）、Ｓ５０２〜Ｓ５７２の処理を繰り返す。
【００９３】
次に、図２４〜図２６を参照して、図２１のメイン処理で行われるスライド選択処理について説明する。図２４は、スライド選択処理のサブルーチンのフローチャートである。図２５は、図２４のスライド選択処理で用いる属性・分類対応表の説明図である。図２６は、図２４のスライド選択処理で選択されたスライドの説明図である。
【００９４】
処理が開始されると、ＣＰＵ１１は、第１の実施形態と同様に、まずＲＡＭ１３に記憶された選択スライドリストをリセットし（Ｓ６００）、指定リストの有無をチェックする（Ｓ６０１）。そして、指定リストがあれば（Ｓ６０１：ＹＥＳ）、視聴者の属性および目的と一致する属性および目的の指定リストを選択し（Ｓ６０２）、選択された指定リストに従って、プレゼンデータから、指定リストに記載されたＩＤのスライドを抽出し、指定された順番に従って、選択スライドリストにスライドを追加する（Ｓ６０３）。選択スライドリストの設定が終了すると（Ｓ６０３）、図２１に示すメイン処理に戻る。
【００９５】
一方、指定リストがなければ（Ｓ６０１：ＮＯ）、ＵＳＢメモリ１６に記憶された属性・分類対応表（図２５）に従って、分類集合Ａを設定する（Ｓ６１２）。図２５に示す本実施形態で用いる属性・分類対応表は、第１の実施形態で用いたもの（図１３参照）とは異なり、職種および視聴の目的毎に、表示すべき分類の番号のみが分類集合として設定されているにすぎず、分類番号が記憶されている順番は、スライドの表示順序を規定するものではない。例えば、視聴者の職種が「営業」で、目的が「商談」の場合、図１３に示す第１実施形態の属性・分類対応表によれば、分類番号「１、４、３」の順にスライドの選択が行われるため、選択と同時に適切な順序に並べ替えが行われるが、図２５に示す本実施形態の属性・分類対応表によれば、分類番号は「１、３、４」という選択すべき分類の集合を表すのみである。よって、この例の場合、Ｓ６１２において、分類集合Ａとして、「１、３、４」が設定される。
【００９６】
次にＣＰＵ１１は、ＵＳＢメモリ１６に記憶されたプレゼンデータから先頭のスライドを選択し（Ｓ６１３）、この時点ではまだ全スライドの処理は終了していないので（Ｓ６２１：ＮＯ）、選択した先頭のスライドの分類番号が、分類集合Ａ（前述の例では「１、３、４」）に含まれるか否かを判断する（Ｓ６２２）。含まれると判断した場合は（Ｓ６２２：ＹＥＳ）、このスライドを選択スライドリストに追加してから（Ｓ６２３）、含まれない場合は（Ｓ６２２：ＮＯ）何もせず、次のスライドを選択する（Ｓ６２４）。そして、全てのスライドについて処理が終了するまで（Ｓ６２１：ＹＥＳ）、前述のＳ６２１〜Ｓ６２４の処理を繰り返してから、図２１のメイン処理に戻る。例えば、前述の職種が「営業」、目的が「商談」の例について、図１１の画面データを有するプレゼンデータを処理した場合、図２６に示すように、分類番号が「１、３、４」のいずれかであるスライドＩＤ＝１、２、４、６のスライドがこの順番で抽出されることになる。
【００９７】
次に、図２１のメイン処理において、スライド選択処理（Ｓ４３１）に続いて行われる並べ替え処理（Ｓ４３２）について、前述の図２６および図２７〜図２９を参照して説明する。図２７は、並べ替え処理のサブルーチンのフローチャートである。図２８は、図２７の並べ替え処理で用いる重要度算出表の説明図である。図２９は、図２７の並べ替え処理後のスライドの説明図である。
【００９８】
図２７に示す並べ替え処理が開始されると、ＣＰＵ１１は、ＲＡＭ１３に記憶された選択スライドリストから先頭スライドを選択し（Ｓ７０１）、重要度の設定がされているか否かを判断する（Ｓ７０２）。先頭スライドに重要度の設定がある場合は、予め指定リストまたはプレゼンデータで他のスライドにも重要度の設定がなされているため（Ｓ７０２：ＹＥＳ）、設定された重要度順に並び替え（Ｓ７２１）、図２１のメイン処理に戻る。
【００９９】
一方、先頭のスライドに重要度が設定されていない場合は（Ｓ７０２）、まだ全スライドの重要度設定処理が終了していないので（Ｓ７１１：ＮＯ）、ＵＳＢメモリ１６に記憶された重要度算出表（図２８）に従って、処理対象のスライド（最初は先頭スライド）に重要度を設定する（Ｓ７１２）。図２８に示すように、重要度算出表には、職種および視聴の目的毎に選択される分類の番号の各々について、重要度１〜３（３ほど重要度が高い）が指定されている。すなわち、それぞれの職種、目的に応じて、非常に関心が高いであろうと推測される分類については重要度３が、ある程度の関心を持つであろう分類には重要度２が、それほど関心が高くないと推測される分類には重要度１が設定されている。したがって、たとえ同じ分類番号であっても、職種または目的が異なれば、重要度が異なる場合もある。例えば、同じ分類＝３（数字）であっても、職種・目的が「技術・商談」と「営業・商談」とでは、重要度はそれぞれ「２」と「１」で異なっている。
【０１００】
先頭のスライドについて、視聴者の職種および目的と一致する分類番号の重要度を設定すると（Ｓ７１２）、ＣＰＵ１１は、プレゼンデータから次のスライドを選択し（Ｓ７１３）、全スライドが終了するまで（Ｓ７１１）、Ｓ７１１〜Ｓ７１３の処理を繰り返す。全てのスライドについて重要度を設定し終えると（Ｓ７１１：ＹＥＳ）、設定された重要度の高い順に選択スライドリストに記憶されたスライドを並び替え（Ｓ７２１）、図２１のメイン処理に戻る。
【０１０１】
例えば、前述の職種が「営業」で、目的が「商談」の例であれば、図２８のように、選択される分類「１、３、４」について、それぞれ対応する重要度「３、１、２」が設定されている。前述のスライド選択処理（図２４）が行われた段階では、図２６のように、分類集合「１、３、４」に該当すれば、順序はプレゼンデータに記憶されていたままで選択スライドリストに記憶されたが、この並び替え処理により、図２９のように、重要度３（分類＝１）のスライド（ＩＤ＝４）が先頭となり、その後に、重要度２（分類＝４）の２つのスライド（ＩＤ＝１、２）が並び、最後に重要度１（分類＝３）のスライド（ＩＤ＝６）が順に選択スライドリストに記憶されることになる。なお、重要度２のスライド（ＩＤ＝１、２）のように、同一の重要度のスライドが複数存在する場合は、選択処理が終了した時点で選択スライドリストに記憶された順番を踏襲する。
【０１０２】
次に、図２１のメイン処理において、並び替え処理（Ｓ４３２）に続いて行われる時間調整処理（Ｓ４３３）について、前出の図２３および図３０〜図３１を参照して説明する。図３０は、時間調整処理のサブルーチンのフローチャートである。図３１は、時間調整処理で行われるスライド時間短縮処理のサブルーチンのフローチャートである。この時間調整処理は、視聴可能時間、指定リストに指定された時間、またはプレゼンデータに設定された時間があれば、これらを優先して時間調整を行う点で第１の実施形態と共通するが、以下に詳述するように、時間短縮を行う際はいずれも前述した重要度を考慮する点が異なっている。
【０１０３】
図３０の時間調整処理が開始されると、ＣＰＵ１１は、第１の実施形態と同様に、指定リストの指定時間の有無をチェックし（Ｓ８０２）、指定時間があれば（Ｓ８０２：ＹＥＳ）、その合計値を算出する（Ｓ８０３）。そして、合計時間が視聴可能時間を超える場合は（Ｓ８０４：ＹＥＳ）、後述する本実施形態のスライド時間短縮処理を行い（Ｓ８０５）、超えない場合は（Ｓ８０４：ＮＯ）、指定リストの指定時間を各選択スライドに設定してから（Ｓ８０６）、いずれの場合も図２１のメイン処理に戻る。
【０１０４】
指定リストがない場合や、指定リストはあっても時間が指定されていない場合には（Ｓ８０２：ＮＯ）、プレゼンデータに時間が設定されているか否かをチェックする（Ｓ８１１）。なお、本実施形態では、前述のように、プレゼンデータ解析処理（図２２）が行われた場合には、分類とともに各分類に対応する指定時間がすでに設定されている。したがって、この場合と、予めプレゼンデータに分類と時間が設定されていた場合には（Ｓ８１１：ＹＥＳ）、プレゼンデータに設定された時間の合計値を算出する（Ｓ８１２）。合計時間が視聴可能時間を超える場合は（Ｓ８１３：ＹＥＳ）、後述する本実施形態のスライド時間短縮処理を行い（Ｓ８１４）、超えない場合は（Ｓ８１３：ＮＯ）、プレゼンデータに設定された時間を各選択スライドに設定してから（Ｓ８１５）、いずれの場合も図２１のメイン処理に戻る。
【０１０５】
さらに、プレゼンデータに時間が設定されていない場合には（Ｓ８１１：ＮＯ）、前述した図２３の分類・時間対応表に従って、選択スライドリストに記憶された各選択スライドの表示される時間の合計値を算出する（Ｓ８２１）。なお、この場合に該当するのは、プレゼンデータに予め分類が設定されていたためにプレゼンデータ解析処理（図２２）が行われず、プレゼンデータに時間が設定されていない場合である。例えば図２９のように、分類と重要度のみが予めプレゼンデータに設定され、時間設定がないような場合は、図２３の分類・時間対応表に従い、分類＝１のスライドには「１５ｓ」、分類＝３には「３０ｓ」、分類＝４には「２０ｓ」が設定されるので、合計時間は、１５＋（２０×２）＋３０＝８５ｓとなる。そして、選択スライドの指定時間の合計値が視聴可能時間を超える場合には（Ｓ８２２：ＹＥＳ）、後述するスライド時間短縮処理を行い（Ｓ８２３）、合計時間が視聴可能時間以内であれば（Ｓ８２２：ＮＯ）、分類・時間対応表（図２３）に基づいて、各選択スライドに指定時間を設定してから（Ｓ８２４）、図２１のメイン処理に戻る。
【０１０６】
視聴可能時間が取得されていない場合には（Ｓ８０１：ＮＯ）、同様にして、指定リストに指定時間があれば（Ｓ８３１：ＹＥＳ）、各選択スライドに指定時間を設定し（Ｓ８３２）、指定時間がなければ（Ｓ８３１：ＮＯ）、プレゼンデータに時間設定があれば（Ｓ８４１：ＹＥＳ）、プレゼンデータの設定時間を設定し（Ｓ８４２）、プレゼンデータに時間設定がなければ（Ｓ８４１：ＮＯ）、分類・時間対応表（図２３）に基づいて、各選択スライドに指定時間を設定してから（Ｓ８２４）、図２１のメイン処理に戻る。
【０１０７】
次に、前出の図７と、図３１とを参照して、図３０の時間調整処理で行われる本実施形態のスライド時間短縮処理について説明する。この処理は、指定リストの指定時間合計、プレゼンデータの設定時間合計、または分類・時間対応表に基づく指定時間合計が視聴可能時間を超える場合に（Ｓ８０４：ＮＯ、Ｓ８１３：ＮＯ、Ｓ８２２：ＮＯ）行われるものである（Ｓ８０５、Ｓ８１４、Ｓ８２３）。
【０１０８】
処理が開始されると、ＣＰＵ１１はまず、ＲＡＭ１３に記憶された選択スライドリストのうち、重要度が３のスライドの数ＮをカウントしてＲＡＭ１３に記憶させ（Ｓ９０１）、次に、重要度が３のスライドに設定された時間の合計値Ｔを算出してＲＡＭ１３に記憶させる（Ｓ９０２）。そして、選択スライドリストから先頭のスライドを選択し（Ｓ９０３）、この時点ではまだ全スライドについて処理は終了していないので（Ｓ９０５：ＮＯ）、選択された先頭のスライドの重要度が「３」か否かを判断する（Ｓ９０６）。重要度が３未満の場合には（Ｓ９０６：ＮＯ）、設定時間＝（視聴可能時間−Ｔ）／（全選択スライドリストの数−Ｎ）に従って時間を設定し（Ｓ９０７）、重要度＝３の場合は（Ｓ９０６：ＹＥＳ）、スライドに設定されている時間をそのまま設定する（Ｓ９０８）。そして、選択スライドリストから次のスライドを選択し（Ｓ９０９）、前述のＳ９０５〜Ｓ９０９の処理を繰り返す。全スライドについて処理が終了したら（Ｓ９０５：ＹＥＳ）、図３０の時間調整処理に戻る。例えば、図７に示す指定リストに従って選択スライドリストが設定されており、視聴可能時間が１５０ｓだった場合には、先頭と２番目のスライド（ＩＤ＝４、７）は、重要度＝３なので（Ｓ９０６：ＹＥＳ）、そのまま指定リストの指定時間に従い、それぞれ３０ｓ、６０ｓが設定される（Ｓ９０８）。一方、３番目と４番目のスライド（ＩＤ＝６、３）は、重要度がそれぞれ２、１であるから（Ｓ９０６：ＮＯ）、それぞれについて、設定時間＝（１５０ｓ−９０ｓ）／（４−２）＝３０ｓが設定される（Ｓ９０７）。その結果、設定時間の合計値（１５０ｓ）は視聴可能時間（１５０ｓ）と一致するように調整される。
【０１０９】
以上説明したように、本実施形態のプレゼンテーションシステム１は、視聴者の職種および視聴の目的に応じて設定された重要度を設定し、重要度の高い順に選択されたスライドを並び替える。そして、選択されたスライドの合計表示時間が視聴可能時間を超える場合には、職種および視聴の目的毎に設定された重要度が最も高い選択スライドについてのみ、予め決められた時間を確保して表示し、それ以外の選択スライドについては、残りの時間を均等に割り付ける。したがって、視聴者の職種や視聴の目的に応じて、最も重要な選択スライドから順に、時間内で確実に視聴できるので、時間の限られた視聴者に対しても、効果的なプレゼンテーションを行うことができる。
【０１１０】
なお、本実施形態では、図２１のＳ４０１の処理を行うＣＰＵ１１が、本発明の「視聴者情報取得手段」に相当し、Ｓ４０２の処理を行うＣＰＵ１１が、「視聴時間取得手段」に相当する。また、図２１のＳ４３１（図２４）の処理を行うＣＰＵ１１が、本発明の「スライド選択手段」に相当する。また、図２１のＳ４３２（図２７）の処理を行うＣＰＵ１１が、本発明の「表示順序決定手段」に相当する。また、図２４のＳ６０１の処理を行うＣＰＵ１１が、本発明の「判断手段」に相当する。また、図２１のＳ４２３（図２２）の処理を行うＣＰＵ１１が、本発明の「スライド解析手段」に相当する。また、図３０のＳ８０４、Ｓ８１３およびＳ８２１の処理を行うＣＰＵ１１が、本発明の「比較手段」に相当する。
【０１１１】
なお、本発明のプレゼンテーションシステムの制御装置およびプレゼンテーションシステムは、前述した第１の実施形態および第２の実施形態に限定されるものではなく、本発明の要旨を逸脱しない範囲において各種の変形が可能なことは言うまでもない。
【０１１２】
例えば、第１の実施形態では、スライド時間短縮処理（Ｓ３５５、Ｓ３６４、図１６）において、設定時間の算出式として（選択されたスライドの重要度／重要度合計）×αｎ×視聴可能時間を用い、係数αｎとして、対数（ｌｏｇ１０（１１−ｎ））を乗じていたが、対数は使用せず、設定時間＝（選択されたスライドの重要度／重要度合計）×視聴可能時間の式を用いて、線形的に求めてもよい。
【０１１３】
また、分類および重要度の両方が、予め指定リストやプレゼンデータに設定されている場合や、プレゼンデータ解析処理（図８、図２２）によって設定された場合には、第１の実施形態の時間調整処理（図１５）で行われるスライド時間短縮処理（Ｓ３５５、Ｓ３６４、図１６）およびスライド削除処理（Ｓ３７３および図１９）や、第２の実施形態の時間調整処理（図３０）で行われるスライド時間短縮処理（Ｓ８０５、Ｓ８１４、Ｓ８２３、図３１）を、図３２および図３３のように変更してもよい。図３２は、本変形例に係るスライド短縮処理のサブルーチンのフローチャートであり、図３３は、図３２のスライド時間短縮処理で用いる係数表である。
【０１１４】
図３２に示すスライド時間短縮処理が開始されると、ＣＰＵ１１は、ＲＡＭ１３に記憶された選択スライドリストから先頭のスライドを選択し（Ｓ９１１）、この時点ではまだ全スライドについて処理が終了していないので（Ｓ９１２：ＮＯ）、設定時間＝β×（選択された処理対象スライドの重要度／全選択スライドの重要度合計）×視聴可能時間を算出し、選択スライドに設定する（Ｓ９１３）。なお、係数βは、図３３に示すように、例えば分類＝７の「詳細説明」のように、視聴に時間がかかると推測される分類ほど大きな数値が、分類＝１の「静止画」のように、時間を削っても支障はないと推測される分類ほど小さな値が設定されている。したがって、前述の式に基づいて設定される各選択スライドの設定時間は、視聴にかかる時間と重要度とが加味されたものとなるので、いずれかだけを考慮した場合よりも、適切な時間設定を行うことができる。先頭のスライドについて時間を設定すると（Ｓ９１３）、ＣＰＵ１１は、選択スライドリストから次のスライドを選択し（Ｓ９１４）、Ｓ９１２〜Ｓ９１４の処理を繰り返す。そして、全スライドの処理が終わると（Ｓ９１２：ＹＥＳ）、時間調整処理（図１５、図３０）に戻る。
【０１１５】
また、前述の実施形態では、「制御装置」と、「表示手段」とを同一の装置に備えたプレゼンテーションシステム１、即ちプロジェクタ１００を例として説明したが、本発明はこの形態に限られることはない。例えば、「制御装置」としてパーソナルコンピュータ装置（ＰＣ）等の情報提供機器を採用し、液晶ディスプレイや、別個の投影装置としてのプロジェクタ等を情報提供機器に接続し、これを「表示装置」として、本発明の「プレゼンテーションシステム」を構成することも可能である。
【０１１６】
また、前述の実施形態では、視聴者情報の読み取りにタグリーダ１７を用い、視聴可能時間の入力に操作パネル１４を用いたが、いずれもキーボードやマウスを用いた入力や、バーコードリーダによる読取り等とすることも可能である。
【０１１７】
また、前述の実施形態では、視聴者の属性に関する「視聴者情報」として、視聴者の職業およびプレゼンデータの視聴の目的を使用したが、年齢や性別等の他の属性に基づいた処理とすることもできる。スライドの「内容分類」についても、静止画、動画、文字、数字の有無や割合に限らず、オブジェクトのレイアウトや色彩に基づく分類等を行ってもよい。
【図面の簡単な説明】
【０１１８】
【図１】プレゼンテーションシステム１の電気的構成を示すブロック図である。
【図２】プレゼンデータの構成の一例の説明図である。
【図３】プレゼンデータに含まれる画面データの一例の説明図である。
【図４】プレゼンデータの構成の別の一例を示す説明図である。
【図５】第１の実施形態のプレゼンデータ投影処理のフローチャートである。
【図６】プレゼンデータ投影処理で用いる標準リストの説明図である。
【図７】プレゼンデータ投影処理で用いる指定リストの説明図である。
【図８】プレゼンデータ解析処理のサブルーチンのフローチャートである。
【図９】プレゼンデータ解析処理で用いる分類表の説明図である。
【図１０】解析後のプレゼンデータの構成の一例の説明図である。
【図１１】解析後のプレゼンデータの一例の説明図である。
【図１２】スライド選択・並び替え処理のサブルーチンのフローチャートである。
【図１３】スライド選択・並び替え処理で用いる属性・分類対応表の説明図である。
【図１４】スライド選択・並べ替え処理後のスライドの説明図である。
【図１５】時間調整処理のサブルーチンのフローチャートである。
【図１６】スライド時間短縮処理のサブルーチンのフローチャートである。
【図１７】スライド時間短縮処理で用いる係数表の説明図である。
【図１８】選択スライドの時間設定に用いる分類・時間対応表の説明図である。
【図１９】スライド削除処理のサブルーチンのフローチャートである。
【図２０】スライド削除処理で用いるスライド順・分類対応表の説明図である。
【図２１】第２の実施形態のプレゼンデータ投影処理のフローチャートである。
【図２２】プレゼンデータ解析処理のサブルーチンのフローチャートである。
【図２３】プレゼンデータ解析処理で時間設定に用いる分類・時間対応表の説明図である。
【図２４】スライド選択処理のサブルーチンのフローチャートである。
【図２５】スライド選択処理で用いる属性・分類対応表の説明図である。
【図２６】スライド選択処理で選択されたスライドの説明図である。
【図２７】並べ替え処理のサブルーチンのフローチャートである。
【図２８】並べ替え処理で用いる重要度算出表の説明図である。
【図２９】並べ替え処理後のスライドの説明図である。
【図３０】時間調整処理のサブルーチンのフローチャートである。
【図３１】スライド時間短縮処理のサブルーチンのフローチャートである。
【図３２】変形例に係るスライド短縮処理のサブルーチンのフローチャートである。
【図３３】スライド時間短縮処理で用いる係数表である。
【符号の説明】
【０１１９】
１      プレゼンテーションシステム
１００  プロジェクタ
１１    ＣＰＵ
１４    操作パネル
１７    タグリーダ
２００  スクリーン
【図１】
2008170637.tif 000003
【図２】
2008170637.tif 000004
【図３】
2008170637.tif 000005
【図４】
2008170637.tif 000006
【図５】
2008170637.tif 000007
【図６】
2008170637.tif 000008
【図７】
2008170637.tif 000009
【図８】
2008170637.tif 000010
【図９】
2008170637.tif 000011
【図１０】
2008170637.tif 000012
【図１１】
2008170637.tif 000013
【図１２】
2008170637.tif 000014
【図１３】
2008170637.tif 000015
【図１４】
2008170637.tif 000016
【図１５】
2008170637.tif 000017
【図１６】
2008170637.tif 000018
【図１７】
2008170637.tif 000019
【図１８】
2008170637.tif 000020
【図１９】
2008170637.tif 000021
【図２０】
2008170637.tif 000022
【図２１】
2008170637.tif 000023
【図２２】
2008170637.tif 000024
【図２３】
2008170637.tif 000025
【図２４】
2008170637.tif 000026
【図２５】
2008170637.tif 000027
【図２６】
2008170637.tif 000028
【図２７】
2008170637.tif 000029
【図２８】
2008170637.tif 000030
【図２９】
2008170637.tif 000031
【図３０】
2008170637.tif 000032
【図３１】
2008170637.tif 000033
【図３２】
2008170637.tif 000034
【図３３】
2008170637.tif 000035